(57)【特許請求の範囲】
【請求項１】
箱型のケースにラッチボルトをラッチバネで付勢して収容し、操作部材により回動されるハンドルカムの腕部により前記ラッチボルトを後退させて解錠する錠前において、
前記ラッチボルトのラッチを案内するガイド部材には前記ガイド部材の輪郭の中心から中心位置をずらせて前記ラッチを案内するガイド孔が形成されていて、前記ガイド部材を上下反転させることにより前記ガイド孔の上下方向の位置が変更可能であり、
また前記腕部が前記ガイド孔の上下方向の位置にかかわりなく前記ラッチボルトの後端に係合可能であり、
さらに前記ラッチバネの後端が上下方向に移動調整可能なバネ受座により支持されている錠前。
【発明の詳細な説明】
【技術分野】
【０００１】
本発明は、レバーやノブの操作でラッチボルトを後退させて解錠する箱型の扉錠に関する。
【背景技術】
【０００２】
特許文献１に見られるような箱型の錠前は、レバーやノブにより操作されるハンドルカムＡとラッチＢとの間の距離Ｌ１や、ハンドルカムＡとロックカムＣの距離Ｌ2（図６）が歴史的経緯により大きく２種類に分かれていた。
【０００３】
特に扉のハンドルカムＡの付け穴は、ほぼ同一高さに維持されているが、ハンドルカムＡとラッチボルトＢとの高さ方向の距離は不統一であった。このためハンドルカムＡとロックカムＣとの距離（いわゆるスペーシング）Ｌ２は、扉の取付孔を大きくすることで寸法差を吸収できたが、ハンドルカムＡとラッチＢとの高さ方向の位置Ｌ１のズレを吸収することは困難であった。
【先行技術文献】
【特許文献】
【０００４】
【特許文献１】特許第3682738号公報
【発明の概要】
【発明が解決しようとする課題】
【０００５】
本発明は、このような問題に鑑みてなされたものであってその目的とするところは、ハンドルカム、またはロックカムに対するラッチボルトの高さ方向の位置を容易に変更できる箱型の扉錠を提供することである。
【課題を解決するための手段】
【０００６】
このような課題を達成するために本発明の錠前は、箱型のケースにラッチボルトをラッチバネで付勢して収容し、操作部材により回動されるハンドルカムの腕部により前記ラッチボルトを後退させて解錠する錠前において、前記ラッチボルトのラッチを案内するガイド部材には前記ガイド部材の中心から中心位置をずらせて前記ラッチを案内するガイド孔が形成されていて、前記ガイド部材を上下反転させることにより前記ガイド孔の上下方向の位置が変更可能であり、また前記腕部が前記ガイド孔の上下方向の位置にかかわりなく前記ラッチボルトの後端に係合可能であり、さらに前記ラッチバネの後端が上下方向に移動調整可能なバネ受座により支持されている。
【発明の効果】
【０００７】
ラッチボルトを案内するガイド部材を反転し、バネ受座の高さ方向の位置を変更するだけでハンドルカム、またはロックカムに対するラッチの相対位置を変更できる。
【図面の簡単な説明】
【０００８】
【図１】図（ａ）（ｂ）は、それぞれ本発明の錠前の一実施例を示す側面図と正面図である。
【図２】同上錠前のラッチボルトの後端領域の構造を示す斜視図である。
【図３】（ａ）（ｂ）は、同上錠前のラッチボルトのガイド手段の一実施例を示すものである。
【図４】図（ａ）（ｂ）は、同上錠前のラッチボルトの高さ方向の位置を変更した場合を示す側面図と正面図である。
【図５】本発明の他の実施例を示す側面図である。
【図６】箱型の錠前の一例を示す図である。
【発明を実施するための形態】
【０００９】
そこで以下に本発明の詳細を図示した実施例に基づいて説明する。
図１（ａ）（ｂ）は、本発明の錠前の一実施例を蓋を開けて示すものであって、扉の取り付け孔Ｈに収容に収容されたケース本体１には、そのほぼ中央部に高さ方向の位置が変更可能なバネ受け座２が設けられている。
このバネ受け座２には、ラッチバネ３の後端が当接しており、また前板４に設けた開口４ａにはラッチ６ａを突き出すようにラッチバネ３に付勢されたラッチボルト６が出没自在に配置されている。
【００１０】
このラッチボルト６の後端部には大径のカム受け部６ｂが設けられていて、図示しないノブの回動やレバーの回動、押引により操作されるラッチ引込み用のハンドルカム７の腕部７ａがカム受け部６ｂに係合して、ラッチ６ａを前板４から引込ませるように構成されている。
なお、この腕部７ａは、その長さがラッチボルト６の高さ方向の位置が変更された場合にも対応できる程度に設定されている。
【００１１】
またラッチボルト６は、図３に示したようにケース本体１内に規制板８に着脱可能に挿入されたラッチボルトガイド片９のガイド孔９ａに軸方向に進退可能に挿入されている。規制板８の後端側には図２に示したようにＵ字型の切り欠き８ａが形成されている。
この切り欠き８ａの壁８ｃにはバネ受け座２の窓２ａにラッチボルト６の小径部６ｃを挿通させた溝２ａが上下方向（図中矢印Ｄ）に移動可能にセットされている。
【００１２】
このガイド孔９ａは、錠前が扉に取り付けられたとき上下方向に若干、つまり図３（ａ）（ｂ）に示したようにスペーシングの相違を吸収出来る程度にガイド片９の輪郭（外周）の中心Ｃ１に対してガイド孔９ａの中心Ｃ２をΔＬだけずらせて形成されている。
【００１３】
符号１２は、バネ１３に付勢された状態でラッチ引込み用のハンドルカム７を非操作位置に維持する押圧子を示しており、また符号１４は、ロックカムを示す。
【００１４】
この実施例においてハンドルカム７に対するラッチ６ａの高さ位置Ｌ１の状態から、ラッチ６ａの高さ位置を上側に変更する場合には、ケース本体１からラッチボルトガイド片９、ラッチボルト６、バネ受け座２を取り外す。
【００１５】
ついでラッチボルトガイド片９からラッチボルト６を引き抜き、ラッチボルトガイド片９を上下反転させ、ラッチボルト６を元の方向で挿入する。
さらにラッチボルト６にラッチバネ３を挿通しカム受け部６ｂをハンドルカム７の腕７ａに係合させ、ラッチバネ３の後端をラッチ６ａ側に圧縮した状態でバネ受け座２を規制板８の切り欠き８ａに合わせてラッチボルトガイド用の溝２ａを切り欠き８ａの壁８ｃセットする。
【００１６】
これにより図４（ａ）（ｂ）に示したようにラッチボルトの高さが２ΔＬだけ上昇、つまりハンドルカム７に対するラッチ６ａの高さ位置がＬ１＋２ΔＬとなる。
もとより前板４のラッチ突出用の窓４ａも、前板４を上下反転してケース本体１に固定することにより２ΔＬだけ調整できる。
【００１７】
なお上述の実施例においてはハンドルカム６をノブやレバーの回動により操作する形式のものに例を採って説明したが、図５に示したようにレバーの押引操作を変換機構２０を介してハンドルカム７’の腕部７ａ’を回動させてラッチボルト６’を進退させるプッシュプル型の錠前のラッチボルトガイド片９’やバネ受け座２’にも同様に適用できることは明らかである。
【符号の説明】
【００１８】
１  ケース本体
２  バネ受け座
２ｂ  ラッチボルトガイド用の溝
３  ラッチバネ
４  前板
６  ラッチボルト
６ａ  ラッチ
６ｂ  カム受け部
７  ハンドルカム
８  規制板
８ａ  切り欠き
９  ラッチボルトガイド片
９ａ  ガイド孔
１４  ロックカム
【図１】
0005721260.tif 000002
【図２】
0005721260.tif 000003
【図３】
0005721260.tif 000004
【図４】
0005721260.tif 000005
【図５】
0005721260.tif 000006
【図６】
0005721260.tif 000007